(57)【要約】【課題】携帯電話などの携帯端末装置において電子メールを閲覧する際、第三者に見られたくない電子メールの内容を有効に秘匿しつつ閲覧することができる電子メール閲覧システムを提供すること。【解決手段】携帯端末装置において受信した電子メールを表示する際に、電子メールの属性情報が所定の条件を満たさないとき、電子メールの内容を表示部に表示し、電子メールの属性情報が所定の条件を満たすとき、第三者に閲覧できないヘッドマウントディスプレイでの表示により電子メールの表示を行う。【選択図】図１
2008059510.tif 000002
【特許請求の範囲】
【請求項１】
電子メールを受信する機能を有する携帯端末装置と、利用者の頭部に装着するヘッドマウントディスプレイとを備えた電子メール閲覧システムにおいて、
前記携帯端末装置は、
表示部と、
前記ヘッドマウントディスプレイにデータを送信するデータ送信部と、
電子メールを受信する電子メール受信部と、
前記電子メール受信部で受信した電子メールの属性情報が所定の条件を満たさないとき、前記電子メールの内容を前記表示部に表示し、前記電子メールの属性情報が前記所定の条件を満たすとき、前記データ送信部によって前記電子メールのデータを前記ヘッドマウントディスプレイに送信する制御部と、を備え、
前記ヘッドマウントディスプレイは、
前記携帯端末装置から送信される電子メールのデータを受信するデータ受信部と、
前記データ受信部によって受信した電子メールのデータを前記利用者が視認可能に表示する表示部と、を備えた
ことを特徴とする電子メール閲覧システム。
【請求項２】
前記電子メールの属性情報が、当該電子メールのヘッダに含まれる情報であることを特徴とする請求項１に記載のメール閲覧システム。
【請求項３】
前記電子メールのヘッダに含まれる情報が送信元情報であり、
前記制御部は、
前記送信元情報が特定の送信元情報であるとき、前記電子メールの属性情報が所定の条件を満たすと判定する
ことを特徴とする請求項２に記載のメール閲覧システム。
【請求項４】
前記電子メールのヘッダに含まれる情報が当該電子メールの件名情報であり、
前記制御部は、
前記件名情報が特定の件名情報であるとき、前記電子メールの属性情報が所定の条件を満たすと判定する
ことを特徴とする請求項２又は請求項３に記載のメール閲覧システム。
【請求項５】
前記電子メールの属性情報は、当該電子メールのデータサイズを含み、
前記制御部は、
前記電子メールのデータサイズが所定のサイズより大きいとき、前記電子メールの属性情報が所定の条件を満たすと判定する
ことを特徴とする請求項１〜４のいずれか１項に記載のメール閲覧システム。
【請求項６】
前記電子メールのデータサイズは、前記電子メールの本文において引用記号により特定される引用部分を除く前記電子メールの本文のデータサイズである
ことを特徴とする請求項５に記載のメール閲覧システム。
【請求項７】
電子メールを受信する機能を有する携帯端末装置と、利用者の頭部に装着するヘッドマウントディスプレイとを備えた電子メール閲覧システムにおける前記携帯端末装置において、
表示部と、
前記ヘッドマウントディスプレイにデータを送信するデータ送信部と、
電子メールを受信する電子メール受信部と、
前記電子メール受信部で受信した電子メールの属性情報が所定の条件を満たさないとき、前記電子メールの内容を前記表示部に表示し、前記電子メールの属性情報が前記所定の条件を満たすとき、前記データ送信部によって前記電子メールのデータを前記ヘッドマウントディスプレイに送信する制御部と、を備えた
ことを特徴とする携帯端末装置。
【請求項８】
電子メール受信部及び表示部を有し、電子メールを受信する機能を有する携帯端末装置に用いるプログラムにおいて、
コンピュータを、
前記電子メール受信部で受信した電子メールの属性情報を抽出する手段と、
前記電子メールの属性情報が所定の条件を満たすか否かを判定する手段と、
前記電子メールの属性情報が所定の条件を満たさないと判定されたとき、前記電子メールの内容を前記表示部に表示する手段と、
前記電子メールの属性情報が所定の条件を満たすと判定されたとき、前記電子メールのデータをヘッドマウントディスプレイに送信する手段と、
して機能するためのプログラム。
【請求項９】
携帯端末装置が受信した電子メールを前記携帯端末装置及びヘッドマウントディスプレイの少なくとも一方により閲覧するための電子メール閲覧方法において、
前記携帯端末装置が電子メールを受信するステップと、
前記受信した電子メールの属性情報を前記携帯端末装置が抽出するステップと、
前記携帯端末装置が前記電子メールの属性情報が所定の条件を満たすか否かを判定するステップと、
前記電子メールの属性情報が所定の条件を満たさないと判定されたとき、前記電子メールの内容を携帯端末装置の表示部に表示するステップと、
前記電子メールの属性情報が所定の条件を満たすと判定されたとき、前記携帯端末装置が前記電子メールのデータを前記ヘッドマウントディスプレイに送信するステップと、
前記ヘッドマウントディスプレイが前記携帯端末装置から送信される電子メールのデータを受信するステップと、
前記ヘッドマウントディスプレイが前記受信した電子メールのデータを前記利用者が視認可能に表示するステップと、を有する
ことを特徴とする電子メール閲覧方法。
【発明の詳細な説明】
【技術分野】
【０００１】
本発明は、携帯端末装置及びヘッドマウントディスプレイを用いた電子メール閲覧システム及び電子メール閲覧方法に関するものである。
【背景技術】
【０００２】
近年、携帯電話やＰＤＡ（Personal Digital Assistants）などの携帯端末装置が幅広く普及してきている。このような携帯端末装置においては、一般に、インターネットなどのネットワークに配置されたＷｅｂサーバや電子メールサーバなどと通信する機能を有しており、Ｗｅｂページの閲覧や電子メールの送受信などが可能となっている（例えば、特許文献１参照）。
【０００３】
特に、携帯端末装置における電子メールでの通信はその利便性から、極めて頻繁に使用さえれるものであり、キーの操作だけで実行させることができることから、自宅のみならずオフィスや駅の待合所など様々な場所において使用されている。
【特許文献１】特開２０００−１８１８１８号公報
【発明の開示】
【発明が解決しようとする課題】
【０００４】
しかしながら、従来の携帯端末装置において利用者が電子メールを閲覧しているときに、携帯端末装置の画面を周囲の第三者に見られてしまう可能性がある。
【０００５】
携帯端末装置において受信した電子メールには、人に見られたくない電子メールもあり、従来このような場合には人がいないことを確認して携帯端末装置を利用しなければならなかった。このように周囲に人がいないことを確認しながらの操作は、非常に煩わしく、利用者が安心して携帯端末装置の操作をすることができない。
【０００６】
そこで、本発明は、携帯電話などの携帯端末装置において電子メールを閲覧する際、第三者に見られたくない電子メールの内容を有効に秘匿しつつ閲覧することができる電子メール閲覧システムや電子メール閲覧方法等を提供することを目的とする。
【課題を解決するための手段】
【０００７】
請求項１に記載の発明は、電子メールを受信する機能を有する携帯端末装置と、利用者の頭部に装着するヘッドマウントディスプレイとを備えた電子メール閲覧システムにおいて、前記携帯端末装置は、表示部と、前記ヘッドマウントディスプレイにデータを送信するデータ送信部と、電子メールを受信する電子メール受信部と、前記電子メール受信部で受信した電子メールの属性情報が所定の条件を満たさないとき、前記電子メールの内容を前記表示部に表示し、前記電子メールの属性情報が前記所定の条件を満たすとき、前記データ送信部によって前記電子メールのデータを前記ヘッドマウントディスプレイに送信する制御部とを備え、前記ヘッドマウントディスプレイは、前記携帯端末装置から送信される電子メールのデータを受信するデータ受信部と、前記データ受信部によって受信した電子メールのデータを前記利用者が視認可能に表示する表示部とを備えたことを特徴とする。
【０００８】
また、請求項２に記載の発明は、請求項１に記載の発明において、前記電子メールの属性情報が、当該電子メールのヘッダに含まれる情報であることを特徴とする。
【０００９】
また、請求項３に記載の発明は、請求項２に記載の発明において、前記電子メールのヘッダに含まれる情報が送信元情報であり、前記制御部は、前記送信元情報が特定の送信元情報であるとき、前記電子メールの属性情報が所定の条件を満たすと判定することを特徴とする。
【００１０】
また、請求項４に記載の発明は、請求項２又は請求項３に記載の発明において、前記電子メールのヘッダに含まれる情報が当該電子メールの件名情報であり、前記制御部は、前記件名情報が特定の件名情報であるとき、前記電子メールの属性情報が所定の条件を満たすと判定することを特徴とする。
【００１１】
また、請求項５に記載の発明は、請求項１から４のいずれか１項に記載の発明において、前記電子メールの属性情報は、当該電子メールのデータサイズを含み、前記制御部は、前記電子メールのデータサイズが所定のサイズより大きいとき、前記電子メールの属性情報が所定の条件を満たすと判定することを特徴とする。
【００１２】
また、請求項６に記載の発明は、請求項５に記載の発明において、前記電子メールのデータサイズは、前記電子メールの本文において引用記号により特定される引用部分を除く前記電子メールの本文のデータサイズであることを特徴とする。
【００１３】
また、請求項７に記載の発明は、電子メールを受信する機能を有する携帯端末装置と、利用者の頭部に装着するヘッドマウントディスプレイとを備えた電子メール閲覧システムにおける前記携帯端末装置において、表示部と、前記ヘッドマウントディスプレイにデータを送信するデータ送信部と、電子メールを受信する電子メール受信部と、前記電子メール受信部で受信した電子メールの属性情報が所定の条件を満たさないとき、前記電子メールの内容を前記表示部に表示し、前記電子メールの属性情報が前記所定の条件を満たすとき、前記データ送信部によって前記電子メールのデータを前記ヘッドマウントディスプレイに送信する制御部とを備えたことを特徴とする。
【００１４】
また、請求項８に記載の発明は、電子メール受信部及び表示部を有し、電子メールを受信する機能を有する携帯端末装置に用いるプログラムにおいて、コンピュータを、前記電子メール受信部で受信した電子メールの属性情報を抽出する手段、前記電子メールの属性情報が所定の条件を満たすか否かを判定する手段、前記電子メールの属性情報が所定の条件を満たさないと判定されたとき、前記電子メールの内容を前記表示部に表示する手段と、前記電子メールの属性情報が所定の条件を満たすと判定されたとき、前記電子メールのデータをヘッドマウントディスプレイに送信する手段として機能するたことを特徴とする。
【００１５】
また、請求項９に記載の発明は、携帯端末装置が受信した電子メールを前記携帯端末装置及びヘッドマウントディスプレイの少なくとも一方により閲覧するための電子メール閲覧方法において、前記携帯端末装置が電子メールを受信するステップと、前記受信した電子メールの属性情報を前記携帯端末装置が抽出するステップと、前記携帯端末装置が前記電子メールの属性情報が所定の条件を満たすか否かを判定するステップと、前記電子メールの属性情報が所定の条件を満たさないと判定されたとき、前記電子メールの内容を携帯端末装置の表示部に表示するステップと、前記電子メールの属性情報が所定の条件を満たすと判定されたとき、前記携帯端末装置が前記電子メールのデータを前記ヘッドマウントディスプレイに送信するステップと、前記ヘッドマウントディスプレイが前記携帯端末装置から送信される電子メールのデータを受信するステップと、前記ヘッドマウントディスプレイが前記受信した電子メールのデータを前記利用者が視認可能に表示するステップとを有することを特徴とする。
【発明の効果】
【００１６】
請求項１，７〜９に記載の発明によれば、携帯端末装置において電子メールを表示する際に、その電子メールの属性情報が所定の条件を満たすときには、電子メールを携帯端末装置ではなくヘッドマウントディスプレイで表示するようにしているため、見られたくない電子メールについて、第三者からの閲覧を防止することができる。
【００１７】
また、請求項２に記載の発明によれば、電子メールの属性情報が所定の条件を満たすか否かを電子メールのヘッダに含まれる情報で判定することから、その判定が容易となる。
【００１８】
また、請求項３に記載の発明によれば、電子メールの送信元情報が特定の送信元情報であるときに、ヘッドマウントディスプレイで表示するようにしているため、送信元に応じてヘッドマウントディスプレイで表示するのか、携帯端末装置で表示するのかを選択することができる。
【００１９】
また、請求項４に記載の発明によれば、電子メールの件名情報が特定の件名情報であるときに、ヘッドマウントディスプレイで表示するようにしているため、件名情報に応じてヘッドマウントディスプレイで表示するのか、携帯端末装置で表示するのかを選択することができる。
【００２０】
また、請求項５に記載の発明によれば、電子メールのデータサイズが所定以上のサイズであるときに、ヘッドマウントディスプレイで表示するようにしているため、文字数の多い本文の電子メールをヘッドマウントディスプレイにより大画面で表示するができ、見やすくすることができる。
【００２１】
また、請求項６に記載の発明によれば、電子メールのデータサイズが電子メールの本文における引用部分を除く部分が所定以上のサイズであるときに、ヘッドマウントディスプレイで表示するようにしているため、文字数の多い本文の電子メールは、ヘッドマウントディスプレイにより大画面で表示することができ、見やすくすることができる。しかも、引用部分を除いて電子メールのサイズを判定しているため、ほとんど閲覧する必要のない引用部分が多くてもそれ以外の部分が少ないときには携帯端末装置で閲覧することができるため、閲覧性に優れた電子メール閲覧システムを提供することができる。
【発明を実施するための最良の形態】
【００２２】
本実施形態における電子メール閲覧システムＳは、図１に示すように、携帯端末装置の一例である携帯電話１と、利用者３の頭部に装着するヘッドマウントディスプレイ２とを備えている。
【００２３】
携帯電話１は、無線基地局５を介して無線電話網４に接続された他の携帯電話やプロバイダなどと通信可能に構成されている。また、無線電話網４は電子メールサーバ７などが接続されたインターネットなどのネットワーク６に接続されている。
【００２４】
携帯電話１には、クライアント用の電子メールプログラムが格納されており、携帯電話１はこのプログラムを実行することによって、無線基地局５及び無線電話網４を介してインターネットなどのネットワーク６に接続された電子メールサーバ７との間で電子メールの送受信を行う。
【００２５】
ヘッドマウントディスプレイ２は、画像に応じて変調されたレーザ光を２次元に走査した後、プリズムやハーフミラーなどを介して利用者３の網膜に投射することによって利用者３に画像を視認させると共に、外界を視認させるものである。
【００２６】
ここで、携帯電話１からヘッドマウントディスプレイ２へデータを送信することができるように、携帯電話１にはデータ送信部が設けられ、ヘッドマウントディスプレイ２にはデータ受信部が設けられる。
【００２７】
携帯電話１は、上述の電子メールプログラムを実行することによって、電子メールサーバ７から電子メールを受信し、携帯電話１において電子メールを表示する際に、その電子メールの属性情報が所定の条件を満たすときには、電子メールを携帯電話１ではなくヘッドマウントディスプレイで表示するようにしており、ヘッドマウントディスプレイ２に対して電子メールのデータを送信する。
【００２８】
このように、携帯電話１において電子メールを表示する際に、所定の条件を満たす電子メールを携帯電話１ではなくヘッドマウントディスプレイ２で表示するようにしているために、周囲に人がいる場合であっても、所定の条件を満たす電子メールを他人に閲覧されてしまうことを防止することができる。
【００２９】
ここで、本実施形態においては、携帯電話１において所定の条件を満たす電子メールであるか否かを、電子メールの属性情報に基づいて判定するようにしている。
【００３０】
電子メールの属性情報として、電子メールのサイズ（容量）の他、電子メールのヘッダに含まれる情報などがある。
【００３１】
電子メールのヘッダに含まれる情報として、送信元情報（Fromヘッダフィールドの情報）、件名情報（Subjectヘッダフィールドの情報）、独自に追加されたヘッダフィールドの情報などがある。
【００３２】
また、電子メールの属性情報を電子メールの本文とし、電子メールの本文に所定のキーワードが含まれているときには、上記所定の条件を満たす電子メールであると判定することもできる。
【００３３】
以下、携帯電話１の構成、ヘッドマウントディスプレイ２の構成、携帯電話１の動作及びヘッドマウントディスプレイ２の動作について順に具体的に説明する。
【００３４】
（携帯電話の構成）
まず、携帯電話１の構成について、図面を参照して具体的に説明する。図２は本実施形態１における携帯電話１のブロック図である。
【００３５】
図２に示すように、携帯電話１は、無線基地局５と無線通信を行う携帯電話網通信部１０と、各種操作やデータの入力を行うための入力部１１と、各種の画像を表示するための表示部１２と、音声の入出力を行うため音声処理部１３と、ヘッドマウントディスプレイ２へデータを送信するための近距離無線通信部１４と、表示部１２に表示する画像（グラフィック）やテキストのデータを格納するビデオＲＡＭ（ＶＲＡＭ）１９と、携帯電話１全体を制御する制御部１６と、電源部１７とを備えている。
【００３６】
携帯電話網通信部１０は、アンテナや無線回路を備え、電波を用いた通信を無線基地局５との間で行う携帯電話モジュール２０と、携帯電話モジュール２０を制御して、無線基地局５とのデータの送受信を行う携帯電話網通信制御回路２１とを備えている。
【００３７】
ここで、携帯電話網通信部１０は、無線基地局５との音声信号を送受信を行う電話通信部としての機能の他、無線基地局５を介して電子メールサーバ７から電子メールのデータを受信する電子メール受信部及び電子メールサーバ７へ電子メールを送信する電子メール送信部としての機能などを有している。
【００３８】
入力部１１は、テンキー、矢印（選択）キー、決定キー、通話キー、終話キー、各種機能キー（ソフトキーを含む）などからなる操作ボタン群２２と、操作ボタン群２２のキーが操作されたことを検出し、制御部１６に通知する入力制御回路２３を備えている。
【００３９】
表示部１２は、ＬＣＤ（Liquid Crystal Display）２４と、ＬＣＤ２４を照射するためのバックライト２５と、制御部１６からの制御によりＬＣＤ２４に画像を表示し、バックライト２５を駆動させる表示制御回路２６とを備えている。
【００４０】
音声処理部１３は、利用者３の発する音声を収集するマイク２７と、マイク２７を動作させるためにマイク２７に所定電圧を印加して、マイク２７によって収集した音声を電気信号に変換後、増幅してアナログ信号として出力するマイク制御回路２８と、マイク制御回路２８から出力されるアナログ信号をデジタル信号に変換して出力したり、入力されるデジタル信号をアナログ信号に変換して出力したりするＣＯＤＥＣ２９と、ＣＯＤＥＣ２９により変換されたアナログ信号を増幅するスピーカ制御回路３０と、スピーカ制御回路３０から出力されるアナログ信号を音に変換して出力するスピーカ３１とから構成される。
【００４１】
近距離無線通信部１４は、２．４ＧＨｚ帯の電波を利用してデータの送受信を行うBluetooth（登録商標）規格に準拠した無線通信を行う近距離無線通信モジュール３２と、この近距離無線通信モジュール３２を制御してヘッドマウントディスプレイ２とデータの送受信を行う近距離無線通信制御回路３３とを備えている。なお、近距離無線通信部１４が、データ送信部の一例に相当する。
【００４２】
なお、携帯電話１とヘッドマウントディスプレイ２との間のデータのやり取りは、無線通信に限らず、有線ケーブルによって有線通信により行うようにしてもよい。例えば、近距離無線通信部１４に代えて、コンポジット映像信号（例えばＮＴＳＣ映像信号）やコンポーネント映像信号（例えばＲＧＢ信号）などの映像信号の送信を有線ケーブルを用いて行うための映像信号出力モジュールと、この映像信号出力モジュールを制御してヘッドマウントディスプレイ２へビデオデータの送信を行う映像信号出力制御回路とを備える映像信号出力部を設けるようにしてもよい。
【００４３】
電源部１７は、携帯電話１を駆動させるための電源となる電池３７と、電池３７の電力を携帯電話１の各部に供給すると共に、充電用アダプタ（図示せず）から供給される電力を電池３７へ供給して電池３７の充電を行う充電制御回路３８とを備えている。
【００４４】
制御部１６は、携帯電話１全体を制御する機能を有しており、例えば、利用者３による入力部１１への操作に応じて携帯電話網通信部１０を制御し、無線基地局５を介して他の携帯電話１との音声通話路を接続したり、無線基地局５を介して電子メールサーバ７と電子メールの送受信を行う。
【００４５】
ここで、制御部１６は、ＣＰＵ（Central Processing Unit）３４、各種プログラムを格納したＲＯＭ（Read Only Memory）３５、ワーキングメモリや各種データを格納する記憶部として機能するＲＡＭ（Random Access Memory）１８などから構成されている。
【００４６】
そして、制御部１６においては、ＣＰＵ３４がＲＯＭ３５に格納した電子メールプログラムなどの各種プログラムを読み出して実行することによって、他の携帯電話との通話を制御する通話制御手段としての機能に加え、受信した電子メールの属性情報を抽出する属性抽出手段、受信した電子メールの属性情報が所定の条件を満たすか否かを判定する判定手段、電子メールの属性情報が所定の条件を満たさないと判定されたとき、電子メールの内容を携帯電話１の表示部に表示する表示制御手段、電子メールの属性情報が所定の条件を満たすと判定されたとき、電子メールのデータを近距離無線通信部１４を介してヘッドマウントディスプレイに送信する送信制御手段などとして機能する。
【００４７】
電子メールの属性情報として、電子メールのサイズ、電子メールのヘッダや本文に含まれる情報などがあり、制御部１６は、属性抽出手段として機能することによりこれらの情報を抽出し、判定手段として機能することにより電子メールの属性情報が所定の条件を満たすか否かを判定する。そして、例えば、電子メールのヘッダに含まれる送信元情報が特定の送信元情報であるときには、所定の条件を満たすと判定する。
【００４８】
ＲＡＭ１８は、携帯電話網通信部１０によって電子メールサーバ７から受信した電子メールを格納するための記憶部としての機能、各種フラグやデータを格納するための機能を有するものである。
【００４９】
（ヘッドマウントディスプレイの構成）
次に、ヘッドマウントディスプレイ２の概略構成について図面を参照して説明する。図３は本実施形態１におけるヘッドマウントディスプレイ２の外観図である。
【００５０】
ヘッドマウントディスプレイ２は、画像に関する画像信号に応じて変調されたビーム光（以降、画像光Ｚ２（図３参照）と呼ぶこともある）を走査させて出射させることで、利用者３（観察者）の少なくとも一方の眼の網膜に画像を投影し、画像を表示する装置である。
【００５１】
このヘッドマウントディスプレイ２は、図３に示すように、画像に関する画像信号に応じて画像光Ｚ２を出射する出射装置１００と、その出射装置１００から出射された画像光Ｚ２を導くと共に、その画像光Ｚ２を利用者３の眼に向かって反射させるプリズム１５０と、出射装置１００及びプリズム１５０を支持する支持部材２００とを含む構成である。
【００５２】
また、出射装置１００は、画像に関する画像信号に応じて変調された画像光Ｚ２を走査させてプリズム１５０に対して出射させる。プリズム１５０は、出射装置１００に対して固定的な位置にあり、その出射装置１００から出射された画像光Ｚ２を導き、その画像光Ｚ２を利用者３の眼に向かって反射させる。このプリズム１５０は、図示しないビームスプリッタ部を備えており、外界からの外光Ｚ１を透過させ、利用者３の眼に導く。
【００５３】
このようにプリズム１５０は、利用者３の側方から入射された画像光Ｚ２を利用者３の眼に入射させると共に、外界からの外光Ｚ１を利用者３の眼に入射させる光学系であり、実際の視界はもちろんのこと、出射装置１００から出射された画像光Ｚ２に基づく画像が視認可能となる。
【００５４】
また、出射装置１００は、利用者３の側方からプリズム１５０に向かって画像光Ｚ２を出射する。従って、画像光Ｚ２や外光Ｚ１の干渉を防止することができる。もちろん、利用者３の動作を制限させる機会が少なく、出射装置１００を配設することができる。
【００５５】
なお、本実施形態においては、プリズム１５０によって外光Ｚ１と画像光Ｚ２とを同時に視認することができるように構成したが、プリズム１５０に代えてハーフミラーを用いることもできる。すなわち、出射装置１００からの画像光Ｚ２はハーフミラーに反射させて利用者３の眼に入射させると共に、外光Ｚ１はハーフミラーを透過させて利用者３の眼に入射させるのである。
【００５６】
また、本実施形態においては、ヘッドマウントディスプレイとして、網膜走査を用いたシースルーのヘッドマウントディスプレイを例に挙げて説明したが、特開２００３−８７３６３号公報に記載されているが如く、反射型ＬＣＤを利用したヘッドマウントディスプレイとしてもよい。
【００５７】
次に、ヘッドマウントディスプレイ２の具体的構成について、図面を参照して具体的に説明する。図４は本実施形態１におけるヘッドマウントディスプレイ２のブロック図、図５は本実施形態１におけるヘッドマウントディスプレイ２の表示部のブロック図である。
【００５８】
図４に示すように、利用者３に画像を視認させる表示部４０と、各種操作やデータの入力を行うための入力部４１と、音声の入出力を行うため音声処理部４２と、携帯電話１から送信されるデータを受信するための近距離無線通信部４３と、表示部４０に表示する画像（グラフィック）やテキストなどのイメージデータを格納するビデオＲＡＭ４４と、表示部４０に表示するテキストのフォントデータを格納するフォントＲＯＭ４５と、ヘッドマウントディスプレイ２全体を制御する制御部４６と、電源部４７とを備えている。
【００５９】
入力部４１は、各種機能キーなどからなる操作ボタン群５０と、操作ボタン群５０のキーが操作されたことを検出し、制御部４６に通知する入力制御回路５１を備えている。
【００６０】
表示部４０は、利用者３の網膜に画像に応じて変調され、走査されたレーザ光を投射して、利用者３に画像を視認させる網膜走査型ディスプレイであり、出射装置１００に内蔵される。この表示部４０については後述で詳説する。
【００６１】
音声処理部４２は、利用者３の発する音声を収集するマイク５２と、マイク５２を動作させるためにマイク５２に所定電圧を印加して、マイク５２によって収集した音声を電気信号に変換後、増幅してアナログ信号として出力するマイク制御回路５３と、マイク制御回路５３から出力されるアナログ信号をデジタル信号に変換して出力したり、入力されるデジタル信号をアナログ信号に変換して出力したりするＣＯＤＥＣ５４と、ＣＯＤＥＣ５４により変換されたアナログ信号を増幅するスピーカ制御回路５５と、スピーカ制御回路５５から出力されるアナログ信号を音に変換して出力するスピーカ５６とから構成される。
【００６２】
近距離無線通信部４３は、２．４ＧＨｚ帯の電波を利用してデータの送受信を行うBluetooth（登録商標）規格に準拠した無線通信を行う近距離無線通信モジュール５７と、この近距離無線通信モジュール５７を制御して携帯電話１とデータの送受信を行う近距離無線通信制御回路５８とを備えている。なお、近距離無線通信部４３がデータ受信部の一例に相当する。
【００６３】
なお、本実施形態においては、携帯電話１とヘッドマウントディスプレイ２との間のデータのやり取りをBluetooth（登録商標）を利用して行うことにしているが、近距離の無線通信を行うことができるのであれば、これに限られることはなく、ＵＷＢ（Ultra WideBand）規格、無線ＬＡＮ（IEEE802.11bなど）規格、ＷｉｒｅｌｅｓｓＵＳＢ規格などに準拠した無線通信を用いてもよい。また、赤外線を利用したＩｒＤＡ（Infrared Data Association）規格に準拠した無線通信などを用いてもよい。
【００６４】
映像信号入力部４９は、ＤＶＤプレーヤなどのビデオ再生装置（図示せず）から有線ケーブルを介して映像信号を受信する機能を有しており、ビデオ再生装置から出力される映像信号を有線ケーブルを介して受信する映像信号入力モジュール６４と、この映像信号入力モジュール６４を制御してビデオ再生装置から映像信号を受信する映像信号入力制御回路６３とを備えている。なお、映像信号としては、前述したコンポジット映像信号やコンポーネント映像信号などがある。
【００６５】
電源部４７は、ヘッドマウントディスプレイ２を駆動させるための電源となる電池５９と、電池５９の電力をヘッドマウントディスプレイ２に供給すると共に、充電用アダプタ（図示せず）から供給される電力を電池５９へ供給して電池５９の充電を行う充電制御回路６０とを備えている。
【００６６】
なお、携帯電話１とヘッドマウントディスプレイ２との間の通信を有線ケーブルを用いた通信で行う場合、充電アダプタから電力の供給を受けるのではなく、有線ケーブルを用いて携帯電話１からヘッドマウントディスプレイ２へ電力を供給するようにしてもよい。
【００６７】
制御部４６は、ヘッドマウントディスプレイ２全体を制御する機能を有しており、例えば、近距離無線通信部４３を介して携帯電話１から受信した電子メールのデータを表示部４０に表示させたり、利用者３による入力部４１の操作に応じて所定の動作を行う。
【００６８】
ここで、制御部４６は、ＣＰＵ６１、各種プログラムを格納したＲＯＭ（Read Only Memory）６２、ワーキングメモリや各種データを格納する記憶部として機能するＲＡＭ（Random Access Memory）４８などから構成されている。
【００６９】
そして、制御部４６は、ＣＰＵ６１がＲＯＭ６２に格納した電子メール閲覧プログラムなどの各種プログラムを読み出して実行することによって、携帯電話１から近距離無線通信部４３を介して受信した電子メールのデータの表示制御を行う表示制御手段として機能する。なお、携帯電話１から電子メールの添付ファイルのデータが送信されてきたときには、制御部４６は、このデータをヘッドマウントディスプレイ２で表示可能なデータに変換する添付ファイル展開処理手段としての機能も有する。
【００７０】
ＲＡＭ４８は、近距離無線通信部４３によって携帯電話１から受信した電子メールのデータを格納するための記憶部としての機能、各種フラグやデータを格納するための機能などを有するものである。
【００７１】
次に、表示部４０の具体的構成について、図４及び図５を参照して詳説する。
【００７２】
ヘッドマウントディスプレイ２には、上述のように携帯電話１から添付ファイルデータや各種制御信号を受信する近距離無線通信部４３と、図示しないビデオ再生装置から映像信号や各種制御信号を受信する映像信号入力部４９とを備えており、制御部４６は、携帯電話１（第１入力）からの添付ファイルデータに基づいた映像を利用者が視認可能に表示するのか、ビデオ再生装置（第２入力）からの映像信号に基づいた映像を利用者が視認可能に表示するのか、を選択するための入力切替部９１として機能する。
【００７３】
入力切替部９１は、ビデオ再生装置からの映像信号の入力及び携帯電話１からの添付ファイルデータの入力を検出する信号有無検出部９２として機能し、ビデオ再生装置からの映像信号を受信しているときには、ビデオ再生装置から受信した映像信号に基づいた映像を利用者が視認可能に表示する。一方、携帯電話１からの表示要求の制御信号及び添付ファイルデータを受信してからキャンセルボタン操作信号（以下、「添付ファイルデータ表示期間」とする。）を受信するまでの間、携帯電話１から受信した添付ファイルデータに基づいた映像を利用者が視認可能に表示する。また、添付ファイルデータ表示期間には、ビデオ再生装置からの映像信号が入力されても、添付ファイルデータに基づいた映像を優先して利用者が視認可能に表示する。
【００７４】
また、入力部４１に切替ＳＷ９３を設けており、この切替ＳＷ９３の押下などによりビデオ再生装置からの映像信号と携帯電話１からの添付ファイルデータのいずれかを表示するのかを選択することができる。例えば、ビデオ再生装置からの映像信号を選択する第１モードと、携帯電話１からの添付ファイルデータを選択する第２モードと、添付ファイルデータ表示期間には、ビデオ再生装置からの映像信号が入力されても、添付ファイルデータに基づいた映像を優先する第３モードとを切替ＳＷ９３を押下する毎に切替えるようにする。
【００７５】
図５に示すように、表示部４０には、携帯電話１から供給される電子メールの本文データの表示処理を行なうための光源ユニット部６５が設けられている。
【００７６】
光源ユニット部６５には、映像信号としてビデオＲＡＭ４４に展開された電子メールの本文データ、或いは第２入力であるビデオ再生装置からの映像信号としてビデオＲＡＭ４４に展開された映像信号が入力され、それに応じた映像を合成するための要素となる各信号を発生する映像信号処理部７０が設けられ、この映像信号処理部７０から各画素毎の輝度信号６６、水平同期信号６８垂直同期信号６７、及び奥行き信号８４が出力される。
【００７７】
また、光源ユニット部６５には、映像信号処理部７０から輝度信号として伝達される赤（Ｒ），緑（Ｇ），青（Ｂ）の各輝度信号をもとにそれぞれ強度変調されたレーザ光を出射するように、Ｒレーザ７２ａ，Ｇレーザ７２ｂ，Ｂレーザ７２ｃを、それぞれ駆動するためのＲレーザドライバ７１ａ，Ｇレーザドライバ７１ｂ，Ｂレーザドライバ７１ｃが設けられている。
【００７８】
更に、各レーザ７２ａ〜７２ｃより出射されたレーザ光を平行光にコリメートするように設けられたコリメート光学系７３ａ〜７３ｃと、それぞれコリメートされたレーザ光を合波するダイクロイックミラー７４ａ〜７４ｃと、合波されたレーザ光を光ファイバ７６に導く結合光学系７５とが設けられている。尚、Ｒレーザ７２ａ，Ｇレーザ７２ｂ，Ｂレーザ７２ｃとして、レーザダイオード等の半導体レーザや固体レーザを利用してもよい。
【００７９】
また、光源ユニット部６５から光ファイバ７６を介して伝搬されたレーザ光を波面曲率変調部７８に導くコリメート光学系７７と、コリメートされたレーザ光の波面曲率を変調するための波面曲率変調部７８と、変調されたレーザ光をガルバノミラー７９ｂを利用して水平方向に走査する水平走査系７９と、水平走査系７９によって走査されたレーザ光を垂直走査系８１に導く第１リレー光学系８０と、水平走査系７９に走査され、第１リレー光学系８０を介して入射されたレーザ光を、ガルバノミラー８１ｂを利用して垂直方向に走査する垂直走査系８１と、垂直走査系８１に走査されたレーザ光をユーザの瞳孔９０に入射するように第２リレー光学系８２とが設けられている。
【００８０】
第１リレー光学系８０は、水平走査系７９のガルバノミラー７９ｂと、垂直走査系８１のガルバノミラー８１ｂとが共役となるように、また、第２リレー光学系８２は、ガルバノミラー８１ｂと、ユーザの瞳孔９０とが共役となるように、各々設けられている。
【００８１】
また、プリズム１５０は、第２リレー光学系８２と利用者３の瞳孔９０との間に配置され、出射装置１００から出射された画像光Ｚ２を、全反射させるなどして、ユーザの瞳孔９０に導くこととなる。
【００８２】
なお、具体的な一例としては、水平走査系７９は、表示すべき画像の１走査線毎に、レーザビームを水平方向に水平走査（１次走査の一例）させる光学系である。また、水平走査系７９は、レーザビームを水平方向に走査するガルバノミラー７９ｂと、そのガルバノミラー７９ｂの駆動制御を行う水平走査制御回路７９ａとを備えている。
【００８３】
これに対し、垂直走査系８１は、表示すべき画像の１フレーム毎に、レーザビームを最初の走査線から最後の走査線に向かって垂直に垂直走査（２次走査の一例）する光学系である。また、垂直走査系８１は、垂直走査するガルバノミラー８１ｂと、そのガルバノミラー８１ｂの駆動制御を行う垂直走査制御回路８１ａとを備えている。
【００８４】
水平走査系７９は、垂直走査系８１より高速にすなわち高周波数でレーザビームを走査するように設計されている。また、水平走査系７９，垂直走査系８１は、図４及び図５に示すように、各々映像信号処理部７０に接続され、映像信号処理部７０より出力される水平同期信号６８，垂直同期信号６７にそれぞれ同期してレーザ光を走査するように構成されている。
【００８５】
また、波面曲率変調部７８は、入射したレーザ光を透過光と、透過光の垂直方向に反射された反射光とに分離するビームスプリッタ７８ｂと、ビームスプリッタ７８ｂに反射されたレーザ光を収束する凸レンズ７８ｃと、凸レンズ７８ｃに収束されたレーザ光を入射方向に反射する、可動可能な可動ミラー７８ｄとにより構成されている。
【００８６】
また、可動ミラー７８ｄは、例えばガラス等の透過性の板材の表面に金属膜の鏡面コートを施した反射面を有するミラー７８ｅと、例えば圧電型のピエゾ素子を積層した圧電アクチュエータ（図示せず）とで構成される。圧電アクチュエータは、波面曲率変調器７８ａからの駆動電圧が印加されることで駆動され、圧電アクチュエータに固定したミラー７８ｅと凸レンズ７８ｃとの位置関係が変動されるようになっており、これによりレーザービームの波面曲率（拡がり具合）が変わるため、利用者３が視認する画像の奥行きを調整することができる。なお、波面曲率変調器７８ａは駆動信号６９によって駆動される。この駆動信号６９は、映像信号処理部７０によって生成され出力される奥行き信号８４によって駆動する波面曲率駆動回路８３から出力される。
【００８７】
また、ビームスプリッタ７８ｂは、斜面に誘電体多層膜の施された直角プリズム２つが張り合わされたキューブ状の形状を成しており、その斜面において、入射光の光量の約５０％を直角方向に反射し、約５０％を透過するようになっている。
【００８８】
次に、本発明の一実施形態のヘッドマウントディスプレイ２が、外部からの映像信号を受けてから、ユーザの網膜上に映像を投影するまでの過程について図５を用いて説明する。
【００８９】
図５に示すように、本実施形態のヘッドマウントディスプレイ２では、光源ユニット部６５に設けられた映像信号処理部７０が携帯電話１から電子メールの本文データに応じた映像信号の供給を受けると、映像信号処理部７０は、赤，緑，青の各色のレーザ光を出力させるためのＲ輝度信号，Ｇ輝度信号，Ｂ輝度信号からなる輝度信号６６と、水平同期信号６８と、垂直同期信号６７とを出力する。
【００９０】
Ｒレーザドライバ７１ａ，Ｇレーザドライバ７１ｂ，Ｂレーザドライバ７１ｃは各々入力されたＲ輝度信号，Ｇ輝度信号，Ｂ輝度信号に基づいてＲレーザ７２ａ，Ｇレーザ７２ｂ，Ｂレーザ７２ｃに対してそれぞれの駆動信号を出力する。
【００９１】
この駆動信号に基づいて、Ｒレーザ７２ａ，Ｇレーザ７２ｂ，Ｂレーザ７２ｃはそれぞれ強度変調されたレーザ光を発生し、各々をコリメート光学系７３ａ〜７３ｃに出力する。また、映像信号処理部７０は、後述するガルバノミラー７９ｂの駆動状態を示すＢＤ信号（図示せず）に応じて、レーザ光を発生し、各々をコリメート光学系７３ａ〜７３ｃに出力するタイミングを制御する。
【００９２】
つまり、映像信号処理部７０は、ガルバノミラー７９ｂなどにビーム光を出射させるタイミングを制御することとなる。
【００９３】
点光源から発生されるレーザ光は、このコリメート光学系７３によってそれぞれが平行光にコリメートされ、更に、ダイクロイックミラー７４ａ〜７４ｃに入射されて１つのビーム光となるよう合成された後、結合光学系７５によって光ファイバ７６に入射されるよう導かれる。
【００９４】
光ファイバ７６によって伝搬されたレーザ光は、光ファイバ７６からコリメート光学系７７によって導かれて波面曲率変調部７８に出射される。
【００９５】
このように出射されたレーザ光は、ビームスプリッタ７８ｂ及び凸レンズ７８ｃを介してミラー７８ｅに入射される。その波面曲率が変更された後、凸レンズ７８ｃ及びビームスプリッタ７８ｂを介して水平走査系７９に出射される。
【００９６】
この出射されたレーザ光は、水平走査系７９のガルバノミラー７９ｂの偏向面７９ｃに入射される。ガルバノミラー７９ｂの偏向面７９ｃに入射したレーザ光は水平同期信号６８に同期して水平方向に走査されて第１リレー光学系８０を介し、垂直走査系８１のガルバノミラー８１ｂの偏向面８１ｃに入射する。
【００９７】
第１リレー光学系８０ではガルバノミラー７９ｂの偏向面７９ｃとガルバノミラー８１ｂの偏向面８１ｃとが共役の関係となるように調整され、また、ガルバノミラー７９ｂの面倒れが補正されている。
【００９８】
ガルバノミラー８１ｂは、ガルバノミラー７９ｂが水平同期信号６８に同期することと同様に垂直同期信号６７に同期して、その偏向面８１ｃが入射光を垂直方向に反射するように往復振動をしており、このガルバノミラー８１ｂによってレーザ光は垂直方向に走査される。
【００９９】
水平走査系７９及び垂直走査系８１によって垂直方向及び水平方向に２次元に走査されたレーザ光は、ガルバノミラー８１ｂの偏向面８１ｃと、ユーザの瞳孔９０とが共役の関係となるように設けられた第２リレー光学系８２、プリズム１５０によりユーザの瞳孔９０へ入射され、網膜上に投影される。
【０１００】
ユーザはこのように２次元走査されて網膜上に投影されたレーザ光による画像を認識することができる。なお、水平走査系７９のガルバノミラー７９ｂと、垂直走査系８１のガルバノミラー８１ｂとは、名称を同じように説明したが、光を走査するように其の反射面が揺動（回転）させられるものであれば、共振タイプ、非共振タイプ等、圧電駆動、電磁駆動、静電駆動等いずれの駆動方式によるものであってもよいことは言うまでもない。
【０１０１】
以上のように構成された携帯電話１及びヘッドマウントディスプレイ２とを有する電子メール閲覧システムＳにおいて、携帯電話１で受信した電子メールのデータの表示動作について図面を参照し、携帯電話１の動作、ヘッドマウントディスプレイ２の動作の順に具体的に説明する。
【０１０２】
（携帯電話の具体的動作）
まず、携帯電話１の具体的動作について図６〜図１６を参照して具体的に説明する。図６は本実施形態における携帯電話のメイン処理フローチャート、図７は本実施形態における携帯電話の表示部への表示例を示す図、図８は本実施形態における携帯電話のメール機能処理フローチャート、図９は本実施形態における携帯電話のメール閲覧処理フローチャート、図１０及び図１１は本実施形態における携帯電話のメール表示処理フローチャート、図１２は本実施形態におけるメールデータの構成例を示す図、図１３は本実施形態における携帯電話の携帯電話表示処理フローチャート、図１４は本実施形態における携帯電話のＨＭＤ表示処理フローチャート、図１５及び図１６は本実施形態における携帯電話及びヘッドマウントディスプレイの表示例を示す図である。
【０１０３】
図６に示すように、携帯電話１の電源がＯＮになると、携帯電話１のＣＰＵ３４は、ＲＡＭ１８のアクセス許可、作業領域確保を初期化等の初期設定動作を実行し、ＲＯＭ３５に格納された各プログラムをＣＰＵ３４による実行状態とし、制御部１６としての機能を動作させた後（ステップＳ１）、ステップＳ２に処理を移す。
【０１０４】
ステップＳ２において、制御部１６は、ＲＯＭ３５からメニュー画面表示用のデータを取り出し、携帯電話１のＬＣＤ２４にメニュー画面を表示し、ステップＳ３の処理に移行する。このように表示されるメニュー画面の一例を図７（ａ）に示す。メニュー画面は、図７（ａ）に示すように、「Ｍａｉｌ」，「Ｃｏｎｆｉｇ」などの各種機能選択ボタンがＧＵＩ表示されており、利用者３による入力部１１の操作によって各種機能画面に移行できるようになっている。
【０１０５】
ステップＳ３の処理において、制御部１６は、入力部１１の電源ボタン（図示せず）が押下されたか否かを判定する。
【０１０６】
この処理において、電源ボタンが押下されたと判定すると（ステップＳ３：Ｙｅｓ）、制御部１６は、携帯電話１の動作を停止して、メイン処理を終了する。
【０１０７】
一方、この処理において、電源ボタンが押下されていないと判定すると（ステップＳ３：Ｎｏ）、制御部１６は、ステップＳ４の処理に移行し、メール機能が選択されたか否かを判定する。
【０１０８】
この処理において、制御部１６は、入力部１１の矢印キー及び決定キーの操作により、メニュー画面（図７（ａ）参照）における「Ｍａｉｌ」ボタンが選択されたか否かを判定することにより、メール機能が選択されたか否かを判定する。
【０１０９】
メール機能が選択されたと判定すると（ステップＳ４：Ｙｅｓ）、制御部１６は、メール機能処理を実行する（ステップＳ５）。このメール機能処理は、図８におけるＳ１０〜Ｓ１５の処理であり、後述で詳説する。
【０１１０】
ステップＳ４において、メール機能が選択されていないと判定すると（ステップＳ４：Ｎｏ）、制御部１６は、ステップＳ６に移行し、設定機能の選択が行われたか否かを判定する。
【０１１１】
この処理において、制御部１６は、入力部１１の矢印キー及び決定キーの操作により、メニュー画面（図７（ａ）参照）における「Ｃｏｎｆｉｇ」ボタンが選択されたか否かを判定することにより、設定機能が選択されたか否かを判定する。
【０１１２】
設定機能が選択されたと判定すると（ステップＳ６：Ｙｅｓ）、制御部１６は、ステップＳ７に移行し、ＬＣＤに設定画面を表示し、利用者３に各種設定を促し、設定処理を行う。
【０１１３】
一方、設定機能が選択されていないと判定すると（ステップＳ６：Ｎｏ）、制御部１６は、ステップＳ８に移行し、その他の機能が選択されたか否かを判定する。
【０１１４】
この処理において、制御部１６は、入力部１１の矢印キー及び決定キーの操作により、メニュー画面（図７（ａ）参照）における「Ｍａｉｌ」ボタンや「Ｃｏｎｆｉｇ」ボタン以外のボタン例えば「Ａｄｄｒｅｓｓ」ボタンが選択されたか否かを判定することにより、他の機能が選択されたか否かを判定する。
【０１１５】
他の機能処理が選択されたと判定すると（ステップＳ８：Ｙｅｓ）、制御部１６は、ステップＳ９に移行し、ＬＣＤに選択された機能に関する画面を表示し、利用者３に選択した機能に応じた操作を促し、対応する処理を行う。
【０１１６】
ステップＳ５，Ｓ７，Ｓ９の処理が終了したときには、制御部１６は、処理をステップＳ２へ移行し、ステップＳ２からの処理を繰り返し行う。一方、ステップＳ８において、他の機能が選択されていないと判定すると（ステップＳ８：Ｎｏ）、制御部１６は、ステップＳ３に処理を移行し、ステップＳ３からの処理を繰り返す。
【０１１７】
ここで、ステップＳ５におけるメール機能処理について、図８に示すフローチャートを参照して具体的に説明する。
【０１１８】
図８に示すように、メール機能処理を開始すると、ステップＳ１０において、制御部１６は、ＲＯＭ３５からメール機能のメニュー画面表示用のデータを取り出し、携帯電話１のＬＣＤ２４にメール機能のメニュー画面を表示し、ステップＳ１１の処理に移行する。このように表示されるメール機能のメニュー画面の一例を図７（ｂ）に示す。メニュー画面は、図７（ｂ）に示すように、「メール作成」，「メール閲覧」，「メール削除」などの各種メール処理選択ボタンがＧＵＩ表示されており、利用者３による入力部１１の操作によって各種メール処理画面に移行できるようになっている。
【０１１９】
次に、制御部１６は、入力部１１に設けられたキャンセルボタン（図示せず）が押下されたか否かを判定する（ステップＳ１１）。
【０１２０】
この処理において、入力部１１に設けられたキャンセルボタンが押下されたと判定すると（ステップＳ１１：Ｙｅｓ）、制御部１６は、メール機能処理の動作を終了する。
【０１２１】
一方、この処理において、キャンセルボタンが押下されていないと判定すると（ステップＳ１１：Ｎｏ）、制御部１６は、ステップＳ１２の処理に移行し、メール閲覧が選択されたか否かを判定する。
【０１２２】
この処理において、制御部１６は、入力部１１の矢印キー及び決定キーの操作により、メール機能のメニュー画面（図７（ｂ）参照）における「メール閲覧」ボタンが選択されたか否かを判定することにより、メール閲覧が選択されたか否かを判定する。
【０１２３】
メール閲覧が選択されたと判定すると（ステップＳ１２：Ｙｅｓ）、制御部１６は、メール閲覧処理を実行する（ステップＳ１３）。このメール閲覧処理は、図９におけるＳ２０〜Ｓ２３の処理であり、後述で詳説する。
【０１２４】
ステップＳ１２において、メール閲覧が選択されていないと判定すると（ステップＳ１２：Ｎｏ）、制御部１６は、ステップＳ１４に移行し、その他の機能が選択されたか否かを判定する。
【０１２５】
この処理において、制御部１６は、入力部１１の矢印キー及び決定キーの操作により、メニュー画面（図７（ｂ）参照）における「メール閲覧」ボタン以外のボタンが選択されたか否かを判定することにより、その他の機能が選択されたか否かを判定する。
【０１２６】
その他の機能処理が選択されたと判定すると（ステップＳ１４：Ｙｅｓ）、制御部１６は、ステップＳ１５に移行し、ＬＣＤに選択された機能に関する画面を表示し、利用者３に選択した機能に応じた操作を促し、対応する処理を行う。
【０１２７】
ステップＳ１３，Ｓ１５の処理が終了したときには、制御部１６は、処理をステップＳ１０へ移行し、ステップＳ１０からの処理を繰り返し行う。一方、ステップＳ１４において、他の機能が選択されていないと判定すると（ステップＳ１４：Ｎｏ）、制御部１６は、ステップＳ１１に処理を移行し、ステップＳ１１からの処理を繰り返す。
【０１２８】
次に、ステップＳ１３におけるメール閲覧処理について、図９に示すフローチャートを参照して具体的に説明する。
【０１２９】
図９に示すように、メール閲覧処理を開始すると、ステップＳ２０において、制御部１６は、内部のＲＡＭ１８から受信メールのデータを取り出し、携帯電話１のＬＣＤ２４に受信メールの一覧（リスト）を表示し、ステップＳ２１の処理に移行する。
【０１３０】
このように表示される受信メールの一覧の一例を図７（ｃ）に示す。メニュー画面は、図７（ｃ）に示すように、受信された複数の電子メールの日時及び送信元（差出人）などがそれぞれ表示されたメール選択ボタンがＧＵＩ表示されており、利用者３による入力部１１の操作によって各電子メールの詳細内容の閲覧に移行できるようになっている。
【０１３１】
ここで、ＲＡＭ１８に格納される電子メールのデータは、電子メールサーバ７から携帯電話網通信部１０を介して受信したデータであり、受信した各電子メール毎に、ヘッダ部分、メール本文及び添付ファイルなどが互いに関連付けられてＲＡＭ１８に格納される。なお、メール選択ボタンに表示される電子メールの日時及び送信元などは、各電子メールのヘッダ部分の情報から制御部１６によって抽出した情報である。
【０１３２】
ステップＳ２１において、制御部１６は、入力部１１に設けられたキャンセルボタン（図示せず）が押下されたと判定すると（ステップＳ２１：Ｙｅｓ）、制御部１６は、メール機能処理の動作を終了する。
【０１３３】
一方、この処理において、キャンセルボタンが押下されていないと判定すると（ステップＳ２１：Ｎｏ）、制御部１６は、ステップＳ２２の処理に移行し、特定のメールが選択されたか否かを判定する。
【０１３４】
この処理において、制御部１６は、入力部１１の矢印キー及び決定キーの操作により、受信メールのリスト表示画面（図７（ｃ）参照）におけるいずれかのメール選択ボタンが選択されたか否かを判定することにより、特定のメールが選択されたか否かを判定する。
【０１３５】
特定のメールが選択されたと判定すると（ステップＳ２２：Ｙｅｓ）、制御部１６は、メール表示処理を実行する（ステップＳ２３）。このメール表示処理は、図１０におけるＳ３１〜Ｓ４４の処理であり、後述で詳説する。
【０１３６】
一方、ステップＳ２２において、特定のメールが選択されていないと判定すると（ステップＳ２２：Ｎｏ）、制御部１６は、ステップＳ２１に移行し、ステップＳ２１からの処理を繰り返し行う。また、ステップＳ２３の処理が終了すると、ステップＳ２０からの処理を繰り返し行う。
【０１３７】
次に、ステップＳ２３におけるメール表示処理について、図１０に示すフローチャートを参照して具体的に説明する。
【０１３８】
図１０に示すように、メール表示処理を開始すると、ステップＳ３１において、制御部１６は、ステップＳ２２において選択された特定の電子メールのデータを内部のＲＡＭ１８から読み出し、ステップＳ３２の処理に移行する。
【０１３９】
ここで、携帯電話１で受信する電子メールは、例えば、ＭＩＭＥのｂａｓｅ６４形式のメールデータは、ヘッダ（header）部分とメール本文（body）部分とが、図１２に示すように記述される。電子メールのヘッダ部分には、電子メールのヘッダフィールドの情報が記載されており、例えば、メールの送信元情報（Fromヘッダフィールドの情報）、送信先情報（Toヘッダフィールドの情報）、件名情報（Subjectヘッダフィールドの情報）、送信日時情報（Dateヘッダフィールドの情報）、独自ヘッダフィールドなどの情報が含まれる。
【０１４０】
ステップＳ３２において、制御部１６は、ステップＳ２２において選択された特定の電子メールにヘッダ部分が存在するか否かをチェックする。
【０１４１】
ステップＳ３２において、特定の電子メールにヘッダ部分がないと判定すると（ステップＳ３２：Ｎｏ）、制御部１６は、後述するステップＳ４３の携帯電話表示処理に移行する。この携帯電話表示処理は、図１３におけるステップＳ６６〜Ｓ７０の処理であり、後述で詳説する。
【０１４２】
ステップＳ３２において、特定の電子メールにヘッダ部分があると判定すると（ステップＳ３２：Ｙｅｓ）、制御部１６は、この特定の電子メールのヘッダ部分に、Fromヘッダフォールド、Subjectヘッダフィールド、独自ヘッダフィールドのいずれかのヘッダフィールドが存在するか否かを判定する（ステップＳ３３）。
【０１４３】
ステップＳ３３において、特定の電子メールのヘッダ部分に、上記いずれかのヘッダフィールドが存在しないと判定すると（ステップＳ３３：Ｎｏ）、制御部１６は、後述するステップＳ４０の処理に移行する。
【０１４４】
一方、特定の電子メールのヘッダ部分に、上記いずれかのヘッダフィールドが存在すると判定すると（ステップＳ３３：Ｙｅｓ）、制御部１６は、内部のＲＡＭ１８からヘッドマウントディスプレイ２用の表示アドレスのリスト（以下、「ＨＭＤ表示アドレスのリスト」と呼ぶ。）を読み出し（ステップＳ３４）、次のステップＳ３５の処理に移行する。このＨＭＤ表示アドレスは、電子メールが特定の送信元情報から送信されたか否かを判定するためのアドレスであり、送信元の電子メールアドレス情報がこれに当たる。
【０１４５】
ステップＳ３５において、制御部１６は、Fromヘッダフィールドに記載のアドレスがＨＭＤ表示アドレスのリスト内に含まれているかを判定する。すなわち、ステップＳ２２において選択された特定の電子メールのヘッダ部分に含まれるFromヘッダフィールドの送信元情報（ここでは、電子メールアドレスとする。）が、ステップＳ３４において読み出したＨＭＤ表示アドレスのリスト中に含まれているかを判定する。例えば、特定の電子メールのヘッダ部分が図１２に示すように記述されている場合、図１２中の（Ａ）に示すように、From:から始まる行の“＜”と“＞”との間に記述される“jdoe@machine.example”が送信元情報となる。
【０１４６】
この処理において、制御部１６は、Fromヘッダフィールドに記載のアドレスがＨＭＤ表示アドレスのリスト内に含まれていると判定すると（ステップＳ３５：Ｙｅｓ）、ステップＳ４４のＨＭＤ表示処理に処理を移行する。このＨＭＤ表示処理は、図１４におけるステップＳ６０〜Ｓ６６の処理であり、後述で詳説する。
【０１４７】
一方、ステップＳ３５において、Fromヘッダフィールドに記載の送信元情報がＨＭＤ表示アドレスのリスト内に含まれていないと判定すると（ステップＳ３５：Ｎｏ）、制御部１６は、内部のＲＡＭ１８からヘッドマウントディスプレイ２用の表示キーワードのリスト（以下、「ＨＭＤ表示キーワードのリスト」と呼ぶ。）を読み出し（ステップＳ３６）、次のステップＳ３７の処理に移行する。このＨＭＤ表示キーワードは、電子メールが特定の件名情報を有するか否かを判定するためのキーワードであり、例えば、「厳秘」、「親展」など様々なキーワードを設定することができる。このキーワードの設定は、入力部１１の操作によりＨＭＤ表示キーワードとしてＲＡＭ１８に記憶することができるように構成されている。
【０１４８】
ステップＳ３７において、制御部１６は、Subjectヘッダフィールドに、ＨＭＤ表示キーワードのリスト内のキーワードが一つでも含まれているか否かを判定する。例えば、特定の電子メールのヘッダ部分が図１２に示すように記述されている場合、図１２中の（Ｂ）に示すように、Subject:から始まる行の“Subject:”以降の記述内容が件名情報になり、ＨＭＤ表示キーワードを検索する領域になる。ＨＭＤ表示キーワードの一つが「親展」であるとき、図１２に示す電子メールの件名情報においては、「親展」の語が含まれているので、Subjectヘッダフィールドの件名情報にＨＭＤ表示キーワードのリスト内に含まれていると判定されることになる。
【０１４９】
この処理において、ＨＭＤ表示キーワードのリスト内のキーワードが含まれていると判定すると（ステップＳ３７：Ｙｅｓ）、制御部１６は、ステップＳ４４のＨＭＤ表示処理に処理を移行する。
【０１５０】
一方、ステップＳ３７において、Subjectヘッダフィールドに記載の件名情報がＨＭＤ表示キーワードのリスト内に含まれていないと判定すると（ステップＳ３７：Ｎｏ）、制御部１６は、内部のＲＡＭ１８から独自ヘッダフィールドのリストを読み出し（ステップＳ３８）、次のステップＳ３９の処理に移行する。
【０１５１】
ステップＳ３９において、制御部１６は、独自ヘッダフィールドがヘッドマウントディスプレイ２での表示を示しているかを判定する。
【０１５２】
この処理において、独自ヘッダフィールドがヘッドマウントディスプレイ２での表示を示しているかは、ステップＳ２２において選択された特定の電子メールのヘッダ部分に、ヘッドマウントディスプレイ２での表示を要求する独自ヘッダフィールドが含まれているか否かにより判定する。例えば、図１２中の（Ｃ）に示すように、この特定の電子メールに「Ｘ−ＲＳＤ：ｗｉｔｈＨＭＤ」という記述が含まれているか否かによって、制御部１６は、上記独自ヘッダフィールドが含まれているか否かを判定する。
【０１５３】
ステップＳ３９において、制御部１６は、ヘッドマウントディスプレイ２での表示を要求する独自ヘッダフィールドが含まれていると判定すると（ステップＳ３９：Ｙｅｓ）、ステップＳ４４のＨＭＤ表示処理に処理を移行する。
【０１５４】
一方、ステップＳ３９において、ヘッドマウントディスプレイ２での表示を要求する独自ヘッダフィールドが含まれていないと判定すると（ステップＳ３９：Ｎｏ）、制御部１６は、内部のＲＡＭ１８からヘッドマウントディスプレイ表示用のデータ用閾値容量（以下、「ＨＭＤ表示用データ閾値容量」と呼ぶ。）を読み出し（ステップＳ４０）、次のステップＳ４１の処理に移行する。
【０１５５】
ステップＳ４１において、制御部１６は、ステップＳ２２において選択された特定の電子メールのデータサイズをチェックし、処理をステップＳ４２に移行する。本実施形態においては、電子メールの容量は電子メールの本文部分のデータ容量とするが、件名情報や送信元情報などのヘッダ部分の一部又は全部の情報を含めたデータ容量としてもよい。また、上記特定の電子メールを携帯電話１の表示部１２に表示したときの行数をデータサイズとすることもできる。
【０１５６】
また、電子メールの本文において引用記号により特定される引用部分を除いた電子メールの本文のデータサイズをステップＳ４１においてチェックする電子メールのデータサイズとすることもできる。ここで、引用記号により特定される引用部分とは、図１２に示すように、引用記号を含む（Ｄ）の部分である。
【０１５７】
このように、引用部分については、データ容量として判定しないことにより、ほとんど閲覧する必要のない引用部分が多くてもそれ以外の部分が少ないときには携帯電話１で閲覧することができるため、閲覧性を向上させることができる。すなわち、電子メールを送信するときには引用部分を除く部分が本文データに先頭になるように記述することが多く、このような場合にはその先頭の部分さえ閲覧すればよいため、携帯電話１の表示部１２での表示で十分な場合が多いからである。
【０１５８】
なお、引用部分がそれ以外の部分よりも後にしか存在しないと制御部１６により判定されたときに、引用部分については、データ容量として判定しないようにすることもできる。このようにすれば、引用部分とそれ以外の部分が交互に配置されているときにまで、データ容量から引用部分を除くことがなく、閲覧性を低下させることもない。
【０１５９】
ステップＳ４２において、制御部１６は、メールデータのデータサイズが閾値を超えたか否かを判定する。すなわち、ステップＳ２２において選択された特定の電子メールのデータサイズが、ＨＭＤ表示用データ閾値容量よりも大きいか否かを判定するのである。
【０１６０】
この処理において、制御部１６は、メールデータのデータサイズが閾値を超えたと判定すると（ステップＳ４２：Ｙｅｓ）、ステップＳ４４のＨＭＤ表示処理に移行する。
【０１６１】
一方、ステップＳ４２において、メールデータのデータサイズが閾値を超えていないと判定すると（ステップＳ４２：Ｎｏ）、制御部１６は、ステップＳ４３の携帯電話表示処理に移行する。
【０１６２】
以上のように携帯電話１の制御部１６は、メールを閲覧する際に、閲覧する電子メールの属性情報（Fromヘッダフィールド、Subjectヘッダフィールド、電子メールのデータサイズなど）が所定の条件を満たさないときに、携帯電話１の表示部１２で電子メールの表示を行い（携帯電話表示処理）、電子メールの属性情報が所定の条件を満たすときに、ヘッドマウントディスプレイ２で電子メールの表示を行う（ＨＭＤ表示処理）ようにしている。以下、携帯電話表示処理及びＨＭＤ表示処理の具体的処理について説明する。
【０１６３】
まず、ステップＳ４３における携帯電話表示処理について、図１３に示すフローチャートを参照して具体的に説明する。
【０１６４】
携帯電話表示処理を開始すると、制御部１６は、携帯電話１の表示部１２にメール本文の描画イメージを展開する（ステップＳ６６）。
【０１６５】
ここで、メール本文の描画イメージの展開は、ステップＳ３１で読み出された電子メールの本文データの各文字に対応するフォントデータを制御部１６がＲＯＭ３５から取り出して、ビデオＲＡＭ１９に展開することによって行われる。
【０１６６】
次に、制御部１６は、携帯画面（携帯電話１の表示部１２）にビデオＲＡＭ１９に展開したイメージを表示する（ステップＳ６７）。
【０１６７】
次に、制御部１６は、入力部１１に設けられたキャンセルボタン（図示せず）が押下されたか否かを判定する（ステップＳ６８）。
【０１６８】
この処理において、入力部１１に設けられたキャンセルボタンが押下されたと判定すると（ステップＳ６８：Ｙｅｓ）、制御部１６は、携帯電話表示処理の動作を終了する。
【０１６９】
一方、この処理において、キャンセルボタンが押下されていないと判定すると（ステップＳ６８：Ｎｏ）、制御部１６は、ステップＳ６９の処理に移行し、スクロールボタンが押下されたか否かを判定する。
【０１７０】
ステップＳ６９において、スクロールボタンが押下されたと判定すると（ステップＳ６９：Ｙｅｓ）、制御部１６は、スクロールの方向に応じて表示部１２に表示する描画イメージを変更する（ステップＳ７０）。
【０１７１】
ステップＳ７０の処理が終了したとき、或いは、ステップＳ６９においてスクロールボタンが押下されたと判定したとき、制御部１６は、処理をステップＳ６８に移行し、ステップＳ６８からの処理を繰り返す。
【０１７２】
次に、ステップＳ４４におけるＨＭＤ表示処理について、図１４に示すフローチャートを参照して具体的に説明する。
【０１７３】
ＨＭＤ表示処理を開始すると、制御部１６は、ヘッドマウントディスプレイ（ＨＭＤ）２に、表示要求制御信号を送信する（ステップＳ６０）。この表示要求制御信号は、ヘッドマウントディスプレイ２での表示を開始するための要求信号であり、この表示要求制御信号に続いて携帯電話１から出力するイメージデータがヘッドマウントディスプレイ２に表示されることになる。
【０１７４】
表示要求制御信号を送信すると、次に制御部１６は、展開ソフトでヘッドマウントディスプレイ２用に電子メールにおける本文データの描画イメージをビデオＲＡＭ１９に展開する（ステップＳ６１）。
【０１７５】
制御部１６は、このように展開した本文データの描画イメージを近距離無線通信部１４を介してヘッドマウントディスプレイ２に送信する（ステップＳ６２）。
【０１７６】
次に、制御部１６は、入力部１１に設けられたキャンセルボタン（図示せず）が押下されたか否かを判定する（ステップＳ６３）。
【０１７７】
この処理において、入力部１１に設けられたキャンセルボタンが押下されたと判定すると（ステップＳ６３：Ｙｅｓ）、制御部１６は、ヘッドマウントディスプレイ２に対して近距離無線通信部１４を介してキャンセルボタン操作信号を送信し（ステップＳ６６）、ＨＭＤ表示処理を終了する。
【０１７８】
一方、この処理において、キャンセルボタンが押下されていないと判定すると（ステップＳ６３：Ｎｏ）、制御部１６は、ステップＳ６４の処理に移行し、スクロールボタンが押下されたか否かを判定する。
【０１７９】
ステップＳ６４において、スクロールボタンが押下されたと判定すると（ステップＳ６４：Ｙｅｓ）、制御部１６は、ヘッドマウントディスプレイ２に近距離無線通信部１４を介してスクロール操作信号を送信する（ステップＳ６５）。
【０１８０】
ステップＳ６５の処理が終了したとき、或いはステップＳ６４においてスクロールボタンが押下されていないと判定されたとき（ステップＳ６４：Ｎｏ）、制御部１６は、処理をステップＳ６３に移行し、ステップＳ６３からの処理を繰り返す。
【０１８１】
このように携帯電話１において、携帯電話網通信部１０で受信した電子メールの属性情報が所定の条件を満たさないとき、電子メールの内容を表示部１２に表示し（図１６参照）、電子メールの属性情報が所定の条件を満たすとき、近距離無線通信部１４によって電子メールのデータをヘッドマウントディスプレイ２に送信して、ヘッドマウントディスプレイ２に表示するようにしている（図１５参照）ので、所定の条件を満たす電子メールの閲覧の秘匿性を高めることができる。なお、図１５（ａ）及び図１６（ａ）は、電子メールの閲覧を選択する前の携帯電話１及びヘッドマウントディスプレイ２における各表示内容であり、図１５（ｂ）及び図１６（ｂ）は、電子メールの閲覧を選択した後の携帯電話１及びヘッドマウントディスプレイ２における各表示内容である。また、図１５は電子メールの属性情報が所定の条件を満たすときの表示例を示し、図１６は電子メールの属性情報が所定の条件を満たさないときの表示例を示している。
【０１８２】
（ヘッドマウントディスプレイ２の動作）
次に、ヘッドマウントディスプレイ２の具体的動作について図１７〜図２０のフローチャートを参照して具体的に説明する。図１７は本実施形態におけるヘッドマウントディスプレイのメイン処理フローチャート、図１８は本実施形態におけるヘッドマウントディスプレイの画面表示処理フローチャート、図１９は本実施形態におけるヘッドマウントディスプレイのイメージ表示処理フローチャート、図２０は本実施形態におけるヘッドマウントディスプレイのスクロール表示処理フローチャートである。
【０１８３】
図１７に示すように、ヘッドマウントディスプレイ２の電源がＯＮになると、ヘッドマウントディスプレイ２のＣＰＵ６１は、ＲＡＭ４８のアクセス許可、作業領域確保を初期化等の初期設定動作を実行し、ＲＯＭ６２に格納された各プログラムをＣＰＵ６１による実行状態とし、制御部４６としての機能を動作させた後（ステップＳ１００）、ステップＳ１０１に処理を移す。
【０１８４】
ステップＳ１０１において、制御部４６は、入力部４１の電源ボタン（図示せず）が押下されたか否かを判定する。
【０１８５】
この処理において、電源ボタンが押下されたと判定すると（ステップＳ１０１：Ｙｅｓ）、制御部４６は、ヘッドマウントディスプレイ２の動作を停止して、ＨＭＤメイン処理を終了する。
【０１８６】
一方、この処理において、電源ボタンが押下されていないと判定すると（ステップＳ１０１：Ｎｏ）、制御部４６は、ステップＳ１０２の処理に移行し、携帯電話１（第１入力）から表示要求制御信号を受信したか否かを判定する（ステップＳ１０２）。
【０１８７】
この処理において、制御部４６は、表示要求制御信号を受信したと判定すると（ステップＳ１０２：Ｙｅｓ）、ヘッドマウントディプレイ画面表示処理（以下、「ＨＭＤ画面表示処理」とする。)を行う。このＨＭＤ画面表示処理は、図１８におけるＳ１１０〜Ｓ１２０の処理であり、後述で詳解する。
【０１８８】
一方、表示要求制御信号を受信していないと判定すると（ステップＳ１０２：Ｎｏ）、制御部４６は、ステップＳ１０４の処理に移行し、第２入力としてビデオ再生装置から映像信号が入力されているか否かを判定する（ステップＳ１０４）。
【０１８９】
この処理において、制御部４６は、ビデオ再生装置から映像信号が入力されたと判定すると（ステップＳ１０４：Ｙｅｓ）、ビデオ再生装置から映像信号をビデオＲＡＭ４４に展開して表示部４０により映像信号に基づいた映像を利用者が視認可能に表示する（ステップＳ１０５）。一方、ビデオ再生装置から映像信号が入力されていないと判定すると（ステップＳ１０４：Ｎｏ）、制御部４６は、ステップＳ１０６の処理に移行し、その他の機能が選択されたか否かを判定する。
【０１９０】
この処理において、制御部４６は、入力部４１の矢印キー及び決定キーの操作により、他の機能が選択されたか否かを判定する。
【０１９１】
他の機能処理が選択されたと判定すると（ステップＳ１０６：Ｙｅｓ）、制御部４６は、ステップＳ１０７に移行し、ＬＣＤに選択された機能に関する画面を表示し、利用者３に選択した機能に応じた操作を促し、対応する処理を行う。
【０１９２】
ステップＳ１０３，Ｓ１０５，Ｓ１０７の処理が終了したとき、或いは、他の機能が選択されていないと判定すると（ステップＳ１０６：Ｎｏ）、制御部４６は、処理をステップＳ１０１へ移行し、ステップＳ１０１からの処理を繰り返し行う。
【０１９３】
次に、ＨＭＤ画面表示処理について、図１８を参照して具体的に説明する。
【０１９４】
ＨＭＤ画面表示処理を開始すると、制御部４６は、携帯電話１から何らかの信号を受信したか否かを判定する（ステップＳ１１０）。携帯電話１から何らの信号も受信しないとき（ステップＳ１１０：Ｎｏ）、制御部４６は、引き続きステップＳ１１０の判定を繰り返す。
【０１９５】
一方、携帯電話１から何らの信号を受信したと判定すると（ステップＳ１１０：Ｙｅｓ）、制御部４６は、受信した信号がキャンセルボタン操作信号であるか否かを判定する（ステップＳ１１１）。
【０１９６】
受信した信号がキャンセルボタン操作信号であると判定すると（ステップＳ１１１：Ｙｅｓ）、制御部４６は、ヘッドマウントディスプレイ２の表示動作を停止して（ステップＳ１２０）、ＨＭＤ画面表示処理を終了する。
【０１９７】
一方、受信した信号がキャンセルボタン操作信号ではないと判定すると（ステップＳ１１１：Ｎｏ）、制御部４６は、受信した信号が展開イメージデータであるか否かを判定する（ステップＳ１１２）。
【０１９８】
この処理において、受信した信号が展開イメージデータであると判定すると（ステップＳ１１２：Ｙｅｓ）、制御部４６は、受信した展開イメージデータを内部のＲＡＭ４８に格納し、ヘッドマウントディプレイイメージ表示処理（以下、「ＨＭＤイメージ表示処理」とする。)に移行する（ステップＳ１１３）。このＨＭＤイメージ表示処理は、図１９におけるＳ１３０〜Ｓ１３８までの処理であり、後述で詳説する。
【０１９９】
一方、受信した信号が展開イメージデータではないと判定すると（ステップＳ１１２：ＮＯ）、制御部４６は、受信した信号が展開前のデータであるか否かを判定する（ステップＳ１１４）。
【０２００】
この処理において、受信した信号が展開前のデータであると判定すると（ステップＳ１１４：Ｙｅｓ）、制御部４６は、受信した展開前のデータを内部のＲＡＭ４８に格納し、ヘッドマウントディプレイファイル表示処理（ＨＭＤファイル表示処理)を実行する（ステップＳ１１５）。
【０２０１】
一方、受信した信号が展開前のデータではないと判定すると（ステップＳ１１４：ＮＯ）、制御部４６は、受信した信号がスクロール操作信号であるか否かを判定する（ステップＳ１１６）。
【０２０２】
この処理において、受信した信号がスクロール操作信号であると判定すると（ステップＳ１１６：Ｙｅｓ）、制御部４６は、ヘッドマウントディプレイスクロール表示処理（以下、「ＨＭＤスクロール表示処理」とする。)に移行する（ステップＳ１１７）。このＨＭＤスクロール表示処理は、図２０におけるＳ１５０〜Ｓ１５３までの処理であり、後述で詳説する。
【０２０３】
一方、受信した信号がスクロール操作信号ではないと判定すると（ステップＳ１１６：ＮＯ）、制御部４６は、受信した信号がその他の機能選択であるか否かを判定する（ステップＳ１１８）。
【０２０４】
この処理において、受信した信号がその他の機能選択であると判定すると（ステップＳ１１８：Ｙｅｓ）、制御部４６は、その他の機能選択を実行する（ステップＳ１１９）。
【０２０５】
一方、受信した信号がその他の機能選択ではないと判定すると（ステップＳ１１８：Ｎｏ）、制御部４６は、ステップＳ１１０からの処理を繰り返す。
【０２０６】
次に、ステップＳ１１３におけるＨＭＤイメージ表示処理について、図１９を参照して具体的に説明する。
【０２０７】
ＨＭＤイメージ表示処理において、まず制御部４６は、内部のＲＡＭ４８から展開イメージデータを読み出す（ステップＳ１３０）。
【０２０８】
次に、制御部４６は、展開イメージが画面に収まるか否かを判定する（ステップＳ１３１）。すなわち、ＲＡＭ４８から読み出した展開イメージデータの全てをヘッドマウントディスプレイ２の表示部４０において一度に表示できるか否かを判定するのである。
【０２０９】
この処理において、展開イメージが画面に収まると判定すると（ステップＳ１３１：Ｙｅｓ）、制御部４６は、展開イメージデータをビデオＲＡＭ４４に書き込む（ステップＳ１３２）。このようにビデオＲＡＭ４４に書き込まれた展開イメージデータは、表示部４０によって読み出され、利用者３に視認できるように、展開イメージデータに応じた画像が利用者３の網膜上に投影される。
【０２１０】
次に、制御部４６は、内部のＲＡＭ４８の所定領域に割り当てられたスクロール可能フラグをＯＦＦに設定（ステップＳ１３４）して、ＨＭＤイメージ表示処理を終了する。
【０２１１】
一方、展開イメージが画面に収まらないと判定すると（ステップＳ１３１：Ｎｏ）、制御部４６は、今回表示する部分をイメージから切り出し（ステップＳ１３５）、ステップＳ１３６の処理に移行する。表示する部分をイメージから切り出す処理は、展開イメージのうち表示部４０に表示する領域を選択し、この選択した領域に対応する展開イメージデータの一部を取り出すことによって行う。
【０２１２】
ステップＳ１３６において、制御部４６は、切り出した領域に関する情報を内部のＲＡＭ４８に保存して、ステップＳ１３７の処理に移行する。ここで、切り出した領域に関する情報とは、切り出した部分が展開イメージ全領域中のどの範囲に対応するのかを示す情報である。
【０２１３】
ステップＳ１３７において、制御部４６は、ステップＳ１３５において切り出したイメージのデータをビデオＲＡＭ４４に書き込む。このようにビデオＲＡＭ４４に書き込まれた展開イメージデータは、表示部４０によって読み出され、利用者３に視認できるように、展開イメージデータに応じた画像が利用者３の網膜上に投影される。
【０２１４】
次に、制御部４６は、内部のＲＡＭ４８の所定領域に割り当てられたスクロール可能フラグをＯＮに設定（ステップＳ１３８）して、ＨＭＤイメージ表示処理を終了する。
【０２１５】
次に、ステップＳ１１７におけるＨＭＤスクロール表示処理について、図２０を参照して具体的に説明する。
【０２１６】
ＨＭＤスクロール表示処理において、まず制御部４６は、内部のＲＡＭ４８に設定されたスクロール可能フラグがＯＮであるか否かを判定する（ステップＳ１５０）。
【０２１７】
この処理において、スクロール可能フラグがＯＮであると判定すると（ステップＳ１５０：Ｙｅｓ）、制御部４６は、内部のＲＡＭ４８に格納されたイメージのうち、スクロール後の表示に対応する範囲のデータを取り出す（ステップＳ１５１）。
【０２１８】
その後、制御部４６は、ステップＳ１５１において読み出したイメージデータをビデオＲＡＭ４４に書き込む（ステップＳ１５２）。このようにビデオＲＡＭ４４に格納されたイメージデータは、表示部４０によって読み出され、利用者３に視認できるように、展開イメージデータに応じた画像が利用者３の網膜上に投影される。
【０２１９】
ステップＳ１５２の処理が終了すると、制御部４６は、ステップＳ１５１において読み出した範囲（領域）に関する情報を内部のＲＡＭ４８に保存して（ステップＳ１５３）、ＨＭＤスクロール表示処理を終了する。
【０２２０】
以上のように、本実施形態における電子メール閲覧システムＳにおいては、携帯電話１において電子メールを表示する際にその電子メールの属性情報が所定の条件を満たすときには、電子メールを携帯電話１ではなくヘッドマウントディスプレイ２で表示するようにしているため、見られたくない電子メールについて、第三者からの閲覧を防止することができる。また、電子メールの閲覧操作は、携帯電話の入力部１１で操作することができるため、携帯電話１で表示する電子メールとヘッドマウントディスプレイ２により表示する電子メールとで別々の操作を行う必要がないため、操作性に優れている。
【０２２１】
以上、本発明の実施の形態のうちのいくつかを図面に基づいて詳細に説明したが、これらは例示であり、当業者の知識に基づいて種々の変形、改良を施した他の形態で本発明を実施することが可能である。
【０２２２】
例えば、携帯電話１で受信した電子メールの属性情報が所定の条件を満たすか否かを、電子メールを受信したときに判定するようにしてもよい。すなわち、携帯電話１で受信した電子メールの属性情報が所定の条件を満たすか否かを、携帯電話１においてメール閲覧の操作が行われたときに判定するのではなく、電子メールを受信したときに判定するのである。
【０２２３】
このように、電子メールを受信したときに、電子メールの属性情報が所定の条件を満たすと判定することにより、メール閲覧時の携帯電話１の処理負担を減らすことができる。なお、この場合、電子メールにヘッドマウントディスプレイ２に表示するか否かのフラグを電子メールに関連付けてＲＡＭ１８に記憶しておくようにする。
【０２２４】
また、携帯電話１がヘッドマウントディスプレイ２と通信ができないときに、携帯電話１の入力部１１によるメール閲覧操作で、属性情報が所定の条件を満たす電子メールが選択されたとき、携帯電話１の表示部１２で表示することができない旨を表示部１２又は音声処理部１３から報知するようにしてもよい。
【０２２５】
また、電子メールの属性情報として、Fromヘッダフィールド、Subjectヘッダフィールド、独自ヘッダフィールド、電子メールのデータサイズを例にとり説明したが、携帯電話１が複数のメールアドレスを有しているときには、制御部１６において、特定のメールアドレスを宛先とした電子メールを上記所定の条件を満たす電子メールと判定するようにしてもよい。すなわち、Ｔｏヘッダフィールドを参照するのである。
【０２２６】
例えば、携帯電話１が受信可能な電子メールのアドレスが図１２に示すような”mary@example.net”に加え、”mary-mary@sanple.net”の電子メールを受信可能となっている場合には、“mary@example.net”を宛先情報（図１２に示す、Ｔｏヘッダフィールドの“＜”と“＞”との間に記述されたメールアドレス）とした電子メールを所定の条件を満たすと判定するようにして、ヘッドマウントディスプレイ２に表示する。この場合、見られたくない電子メールは、電子メールの送信者に”mary@example.net”を宛先として送信してもらえばよいことになる。
【０２２７】
また、携帯電話１の制御部１６は、特定のヘッドマウントディスプレイ２に対して、属性情報が所定の条件を満たす電子メールを送信し、それ以外のヘッドマウントディスプレイ２に対してはその電子メールを送信しないようにすることもできる。この場合、例えば、携帯電話１は、ヘッドマウントディスプレイ２の制御部１６から近距離無線通信部１４を介してヘッドマウントディスプレイ２の識別情報を取得し、ＲＡＭ１８に記憶した識別情報と一致したときに、特定のヘッドマウントディスプレイ２であると判定するようにする。
【０２２８】
このように構成することにより、携帯電話１を拾った第三者が他のヘッドマウントディスプレイ２を用いて、メールを閲覧することを防止することができる。
【０２２９】
なお、本実施形態においては、所定のリストに含まれる情報を有しているか否かによって所定の条件を満たす電子メールであると判定しているが、所定のリストに含まれない情報を有しているかによって所定の条件を満たす電子メールであると判定するようにしてもよい。
【０２３０】
このようにすれば、人に見られてもよい電子メールを携帯電話１の表示部１２で表示し、人に見られたくない若しくは人に見られてもよいかどうか不明な電子メールをヘッドマウントディスプレイ２で表示することができるため、人に見られてもよい電子メールが少ない場合に、電子メールのリスト作成が容易になる。
【図面の簡単な説明】
【０２３１】
【図１】本実施形態におけるメール閲覧システムの構成図である。
【図２】本実施形態における携帯電話のブロック図である。
【図３】本実施形態におけるヘッドマウントディスプレイの外観図である。
【図４】本実施形態におけるヘッドマウントディスプレイの全体ブロック図である。
【図５】本実施形態におけるヘッドマウントディスプレイの表示部ブロック図である。
【図６】本実施形態における携帯電話のメイン処理フローチャートである。
【図７】本実施形態における携帯電話の表示部への表示例を示す図である。
【図８】本実施形態における携帯電話のメール機能処理フローチャートである。
【図９】本実施形態における携帯電話のメール閲覧処理フローチャートである。
【図１０】本実施形態における携帯電話のメール表示処理フローチャートである。
【図１１】本実施形態における携帯電話のメール表示処理フローチャートである。
【図１２】本実施形態におけるメールデータの構成例を示す図である。
【図１３】本実施形態における携帯電話の携帯電話表示処理フローチャートである。
【図１４】本実施形態における携帯電話のＨＭＤ表示処理フローチャートである。
【図１５】本実施形態における携帯電話及びヘッドマウントディスプレイの表示例を示す図である。
【図１６】本実施形態における携帯電話及びヘッドマウントディスプレイの表示例を示す図である。
【図１７】本実施形態におけるヘッドマウントディスプレイのメイン処理フローチャートである。
【図１８】本実施形態におけるヘッドマウントディスプレイの画面表示処理フローチャートである。
【図１９】本実施形態におけるヘッドマウントディスプレイのイメージ表示処理フローチャートである。
【図２０】本実施形態におけるヘッドマウントディスプレイのスクロール表示処理フローチャートである。
【符号の説明】
【０２３２】
Ｓ  電子メール閲覧システム
１  携帯電話
２  ヘッドマウントディスプレイ
７  電子メールサーバ
１０  携帯電話網通信部
１２  携帯電話の表示部
１４  携帯電話の近距離無線通信部
１６  携帯電話の制御部
４０  ヘッドマウントディスプレイの表示部
４３  ヘッドマウントディスプレイの近距離無線通信部
４６  ヘッドマウントディスプレイの制御部
【図１】
2008059510.tif 000003
【図２】
2008059510.tif 000004
【図３】
2008059510.tif 000005
【図４】
2008059510.tif 000006
【図５】
2008059510.tif 000007
【図６】
2008059510.tif 000008
【図７】
2008059510.tif 000009
【図８】
2008059510.tif 000010
【図９】
2008059510.tif 000011
【図１０】
2008059510.tif 000012
【図１１】
2008059510.tif 000013
【図１２】
2008059510.tif 000014
【図１３】
2008059510.tif 000015
【図１４】
2008059510.tif 000016
【図１５】
2008059510.tif 000017
【図１６】
2008059510.tif 000018
【図１７】
2008059510.tif 000019
【図１８】
2008059510.tif 000020
【図２０】
2008059510.tif 000021
【図１９】
2008059510.tif 000022